(57)【特許請求の範囲】
【請求項１】
液透過性のトップシート、液不透過性のバックシート及び両シート間に介在された液保持性の吸収体を備え、腹側部及び背側部それぞれの両側縁部における内面同士が互いに接合されて、一対のサイドシール部、ウエスト開口部及び一対のレッグ開口部が形成されているパンツ型の吸収性物品において、
前記サイドシール部は、所定幅の接合部を多数間欠的に配して形成されており、
前記接合部は、前記サイドシール部に多数形成された所定幅の領域であって、前記腹側部の側縁部と前記背側部の側縁部との間が接合されている部位とこれらが接合されていない部位とが混在している領域であり、
前記サイドシール部の幅方向に２以上の前記接合部が存在しており、
少なくとも前記レッグ開口部の縁部における複数の前記接合部が、前記吸収性物品の幅方向外方に向かうに従って下降するように、前記サイドシール部に対して傾斜しており、
前記レッグ開口部の縁部における複数の前記接合部は、それぞれ、強圧縮部と該強圧縮部より厚みが大きい弱圧縮部又は非圧縮部とが一列をなすように交互に配されて形成されていることを特徴とする吸収性物品。
【請求項２】
液透過性のトップシート、液不透過性のバックシート及び両シート間に介在された液保持性の吸収体を備え、腹側部及び背側部それぞれの両側縁部における内面同士が互いに接合されて、一対のサイドシール部、ウエスト開口部及び一対のレッグ開口部が形成されているパンツ型の吸収性物品において、
前記サイドシール部は、所定幅の接合部を多数間欠的に配して形成されており、
前記接合部は、前記サイドシール部に多数形成された所定幅の領域であって、前記腹側部の側縁部と前記背側部の側縁部との間が接合されている部位とこれらが接合されていない部位とが混在している領域であり、
前記サイドシール部の幅方向に２以上の前記接合部が存在しており、
少なくとも前記ウエスト開口部の縁部における複数の前記接合部が、前記吸収性物品の幅方向内方に向かうに従って下降するように、前記サイドシール部に対して傾斜しており、
前記ウエスト開口部の縁部における複数の前記接合部は、それぞれ、強圧縮部と該強圧縮部より厚みが大きい弱圧縮部又は非圧縮部とが一列をなすように交互に配されて形成されていることを特徴とする吸収性物品。
【発明の詳細な説明】
【０００１】
【発明の属する技術分野】
本発明は、サイドシール部が、着用者の脚回り又は胴回りを強く刺激することがなく、装着感に優れたパンツ型の吸収性物品に関する。
【０００２】
【従来の技術及び発明が解決しようとする課題】
従来、通常の下着と同様に立位で着用できるパンツ型の使い捨ておむつが知られている。パンツ型のおむつにおいては、腹側部及び背側部それぞれの両側縁部における内面同士が互いに接合されて、一対のサイドシール部が形成されており、通常、サイドシール部は、両側縁部における所定幅の領域を、ウエスト開口部からレッグ開口部に亘って連続的又は間欠的にシールして形成されている。
【０００３】
しかし、所定幅の領域を連続的にシールして形成されたサイドシール部は、全体として固く、手が触れた場合の感触が悪く、装着感も悪い。  また、間欠的にシールして形成されたサイドシール部においては、横長の接合部が多数形成されるようにシールしているものが多く、その接合部が、着用者の脚回りや胴回りを強く刺激し、着用者の肌が赤くなったり、着用者に不快感を感じさせる場合がある。特に、体重に比較して脚回りや胴回りが太い場合に、このような問題が生じ易い。
【０００４】
従って、本発明の目的は、サイドシール部が、着用者の脚回り又は胴回りを強く刺激することがなく、また、レッグ開口部又はウエスト開口部の開口寸法を、着用者の脚回り又は胴回りの寸法に応じて微調整することのできる、装着感に優れたパンツ型の吸収性物品を提供することにある。
【０００５】
【課題を解決するための手段】
本発明は、液透過性のトップシート、液不透過性のバックシート及び両シート間に介在された液保持性の吸収体を備え、腹側部及び背側部それぞれの両側縁部における内面同士が互いに接合されて、一対のサイドシール部、ウエスト開口部及び一対のレッグ開口部が形成されているパンツ型の吸収性物品において、前記サイドシール部は、所定幅の接合部を多数間欠的に配して形成され、該サイドシール部の幅方向に２以上の前記接合部が存在しており、少なくとも前記レッグ開口部の縁部における複数の前記接合部が、前記吸収性物品の幅方向外方に向かうに従って下降するように傾斜しており、前記レッグ開口部の縁部における複数の前記接合部は、それぞれ、強圧縮部と該強圧縮部より厚みが大きい弱圧縮部又は非圧縮部とが一列をなすように交互に配されて形成されていることを特徴とする吸収性物品を提供することにより前記目的を達成したものである。
また、本発明は、液透過性のトップシート、液不透過性のバックシート及び両シート間に介在された液保持性の吸収体を備え、腹側部及び背側部それぞれの両側縁部における内面同士が互いに接合されて、一対のサイドシール部、ウエスト開口部及び一対のレッグ開口部が形成されているパンツ型の吸収性物品において、前記サイドシール部は、所定幅の接合部を多数間欠的に配して形成され、該サイドシール部の幅方向に２以上の前記接合部が存在しており、少なくとも前記ウエスト開口部の縁部における複数の前記接合部が、前記吸収性物品の幅方向内方に向かうに従って下降するように傾斜しており、前記ウエスト開口部の縁部における複数の前記接合部は、それぞれ、強圧縮部と該強圧縮部より厚みが大きい弱圧縮部又は非圧縮部とが一列をなすように交互に配されて形成されていることを特徴とする吸収性物品を提供することにより前記目的を達成したものである。
【０００６】
【発明の実施の形態】
以下本発明を、その好ましい実施形態に基づき図面を参照しながら説明する。本発明の第１実施形態としてのパンツ型の使い捨ておむつ１は、図１に示すように、液透過性のトップシート２、液不透過性のバックシート（図示せず）及び両シート間に介在された液保持性の吸収体（図示せず）を備えており、本使い捨ておむつ１においては、腹側部１０及び背側部１２それぞれの両側縁部における内面同士が互いに接合されて、一対のサイドシール部１５、１５、ウエスト開口部１６及び一対のレッグ開口部１８、１８が形成されている。
【０００７】
より詳細に説明すると、バックシートの裏面側には、外層不織布５が配されており、外層不織布５は、前記吸収体の左右両側縁よりも使い捨ておむつ１の幅方向外方に延出している。そして、延出した外層不織布５により形成された腹側部１０及び背側部１の両側縁部の内面同士が、おむつのサイド部において接合されている。
尚、ウエスト開口部１６の縁部１６ｅ及びレッグ開口部１８の縁部１８ｅには、それぞれ周方向に沿って、ウエスト用弾性部材２６及びレッグ用弾性部材２８が配されてウエストギャザー及びレッグギャザーが形成されており、また、ウエスト用弾性部材２６が配された位置より下方で且つレッグ開口部１８より上方に位置する胴回り部には、その周方向に沿って、胴回り用弾性部材２７が配されて胴回りギャザーが形成されている。
【０００８】
第１実施形態の使い捨ておむつ１における一対の前記サイドシール部１５、１５は、図２に示すように、多数の所定幅の接合部３０を間欠的に配して形成されており、前記レッグ開口部１８の縁部１８ｅにおける複数の接合部３０ａ、３０ｂ、３０ｃは、前記サイドシール部１５に対して傾斜している。両サイドシール部１５、１５は、使い捨ておむつ１の両側部に左右対称形状に形成されているので、以下、主として一方のサイドシール部について説明する。
【０００９】
サイドシール部１５は、腹側部１０及び背側部１２それぞれの両側縁部の内面同士を当接させ、その状態における両側縁部の外面同士間を、所定の押圧突部を備えた押圧部材（シールロール等）により加熱下に圧縮して形成されている。サイドシール部１５は、使い捨ておむつ１のサイド部に、おむつの縦方向（長手方向）に沿う所定幅の領域（縦長矩形状の領域）として形成されている。各接合部３０は、その長手方向の一端を、おむつの幅方向内側に有し、他端を、幅方向外側に有している。
【００１０】
接合部３０は、サイドシール部１５に多数形成された所定幅の領域であって、腹側部１０の側縁部と背側部１２の側縁部との間が実質的にその全域に亘って接合されているか、又は腹側部１０の側縁部と背側部１２の側縁部との間が接合されている部位とこれらが接合されていない部位とが混在している領域である。混在している例としては、接合された部位と接合されていない部位とが一列をなすように交互に配列されている場合、両者が千鳥模様状に配列されている場合が挙げられる。
【００１１】
本実施形態における接合部３０は、図３に示すように、平行四辺形状の複数の強圧縮部３１を、接合部３０の長手方向に沿って間欠的に配して形成されている。
即ち、本実施形態における各接合部３０は、サイドシール部形成時に強く圧縮して形成された、厚み（腹側部側の外表面と背側部側の外表面外面との間の厚み）の小さい強圧縮部３１と、強圧縮部３１よりも弱く圧縮されるか又は実質的に圧縮されずに、強圧縮部３１よりも厚みの大きい弱圧縮部又は非圧縮部３２とから形成されており、各接合部３０における強圧縮部３１と弱圧縮部又は非圧縮部３２とは、一列をなすように交互に配列されている。
【００１２】
第１実施形態の使い捨ておむつにおいては、各サイドシール部１５に配された総ての接合部３０が、使い捨ておむつ１の幅方向内方から外方に向かうに従って下降するように、サイドシール部１５に対して傾斜している。ここで、サイドシール部１５に対して傾斜しているとは、サイドシール１５の長手方向に沿う直線Ｌ１と、接合部３０の長手方向に沿う直線Ｌ２とが平行ではなく且つ直交していないことを意味する。
【００１３】
第１実施形態の使い捨ておむつ１においては、レッグ開口部の縁部１８ｅおける複数の接合部３０ａ、３０ｂが、おむつ１の幅方向外方に向かうに従って下降するように、サイドシール１５に対して傾斜しているため、サイドシール部１５の装着者の肌に対するあたりが柔らかく、装着の際又は着用時に、サイドシール部１５が強く肌に当たることによる不快感等を防止することができる。更に、傾斜した接合部３０が、強圧縮部３１と、該強圧縮部３１よりも厚みが大きい弱圧縮部又は非圧縮部３２とが一列をなすように交互に配されて形成されているため、サイドシール部１５がさらに柔らかいものとなり、その結果、従来のパンツ型の使い捨ておむつと比較してより一層装着感に優れている。
【００１４】
また、第１実施形態の使い捨ておむつ１においては、レッグ開口部の縁部１８ｅおける複数の接合部３０ａ、３０ｂが、おむつ１の幅方向外方に向かうに従って下降するように、サイドシール１５に対して傾斜しているため、サイドシール部１５によって接合された外層不織布５同士を互いに離れる方向へ引っ張ることにより、接合部３０による接合を、各接合部３０ごとに段階的に分離させることができる。したがって、サイドシール部１５の分離の程度を微調整でき、脚回りの個人差に応じた適切なレッグ開口部１８の開口寸法を得ることができる。例えば、装着者の脚回りが、レッグ開口部１８の開口寸法より大きいときであっても、レッグ開口部１８の開口寸法を適宜大きくすることができ、これにより、脚回りに対する刺激や負担を軽減することができる。
【００１５】
サイドシール部１５が強く肌に当たることを防止する観点及びレッグ開口部１８の開口寸法の微調整を容易にする観点から、傾斜した接合部３０の傾斜角度（サイドシール１５の長手方向に沿う直線Ｌ１と、接合部３０の長手方向に沿う直線Ｌ２とのなす鋭角）θは５゜〜６０゜、特に２０°〜４５゜であることが好ましい。
【００１６】
上述した所要の効果を得る観点から、接合部３０の幅寸法３０ｗは、１．０〜５．０ｍｍであることが好ましく、更に好ましくは２．０〜４．０ｍｍである。また、幅方向へ隣り合う接合部３０同士間の間隔３０ｐは、０．５〜４．０ｍｍであることが好ましく、更に好ましくは１．５〜３．０ｍｍである。また、強圧縮部３１の長さ寸法３１ｓは、０．５〜２．０ｍｍであることが好ましく、長さ方向に隣り合う強圧縮部３１同士間の間隔３１ｐは、０．５〜２．０ｍｍであることが好ましい。
尚、第１実施形態の使い捨ておむつ１においては、サイドシール部１５の総ての接合部３０が傾斜しており、また、サイドシール部１５の長手方向の総ての部位において、サイドシール部１５の幅方向に二列以上の接合部が存在している。
【００１７】
トップシート２、バックシート、吸収体、外層不織布５、弾性部材２６、２７、２８等の使い捨ておむつ１の構成部材の形成材料としては、それぞれ、従来、使い捨ておむつに使用されている各種の材料を特に制限なく用いることができる。また、サイドシール部は、ヒートシールの他、超音波シール等により形成することもできる。
【００１８】
次に、本発明の第２実形態のパンツ型の使い捨ておむつ１Ａについて説明する。
第２実施形態の使い捨ておむつ１Ａについては、第１実施形態の使い捨ておむつ１と異なる点について説明する。特に説明しない点に関しては、第１実施形態の使い捨ておむつ１と同様であり、第１実施形態に関して上述した説明が適用される。
【００１９】
第２実施形態の使い捨ておむつ１Ａにおいては、図４に示すように、サイドシール部１５Ａには、おむつ１Ａの幅方向外方に向かうに従って下降するように傾斜する接合部３０と、おむつ１Ａの幅方向内方に向かうに従って下降するように傾斜する接合部３０Ａとが配されている。サイドシール部１５Ａにおいては、その長手方向の所定位置（中央部付近）を境として、それよりウエスト開口部１６側の接合部３０Ａは、おむつ１の幅方向内方に向かうに従って下降し、レッグ開口部１８側の接合部３０は、おむつ１の幅方向外方に向かうに従って下降するように形成されている。
【００２０】
第２実施形態のサイドシール部１５Ａにおいては、サイドシール部１５Ａを長手方向に二等分する中央線Ｌを境に、接合部の形状が上下で線対称となるようになされており、該中央線Ｌより下方（レッグ開口部１８側）には、第１実施形態と同じ形状の接合部３０が第１実施形態と同様にして設けられている。一方、前記中央線Ｌより上方（ウエスト開口部１６側）には、左右反転した形状を有する以外は接合部３０と同様の構成を有する接合部３０Ａが設けられている。
【００２１】
第２実施形態の使い捨ておむつ１においては、ウエスト開口部１６の縁部１６ｅにおける複数の接合部３０ｄ、３０ｅ、３０ｆが、使い捨ておむつ１の幅方向内方に向かうに従って下降するように傾斜している。
【００２２】
第２実施形態の使い捨ておむつ１Ａにおいては、レッグ開口部の縁部１８ｅに、第１実施形態のおむつ１におけるのと同様の構成を有する接合部３０を有するため、第１実施形態の使い捨ておむつ１と同様の前記効果が得られる。さらに、第２実施形態の使い捨ておむつ１Ａにおいては、ウエスト開口部１６の縁部１６ｅにおける複数の接合部３０ｄ、３０ｅ、３０ｆが、使い捨ておむつ１の幅方向内方に向かうに従って下降するように傾斜しているため、これらの接合部を、ウエスト開口部１６側から順に分離してウエスト開口部１６の開口寸法を段階的に大きくすることができる。したがって、サイドシール部１５の分離の程度を微調整でき、胴回りの個人差に応じた適切なウエスト開口部１６の開口寸法を得ることができる。これにより、胴回りに対する刺激や負担を軽減することができる。
【００２３】
サイドシール部１５が強く肌に当たることを防止する観点及びウエスト開口部１６の開口寸法の微調整を容易にする観点から、傾斜した接合部３０Ａの傾斜角度（サイドシール１５の長手方向に沿う直線Ｌ１と、接合部３０の長手方向に沿う直線Ｌ２とのなす鋭角）θは５゜〜６０゜、特に２０゜〜４５゜であることが好ましい。
【００２４】
本発明は、上述した実施形態に制限されない。例えば、接合部３０、３０Ａは、連続する１つの圧縮部によって形成されていても良く、例えば、上述した両実施形態における強圧縮部が、接合部の長手方向に弱圧縮部や非圧縮部を介さずに連続しているものであっても良い。また、レッグ開口部の縁部１８ｅ又はウエスト開口部の縁部１６ｅにおける二つの接合部のみがサイドシール部１５に対して傾斜していても良い。また、第２実施形態において、おむつ１Ａの幅方向内方に向かうに従って下降するように傾斜する接合部３０Ａを、中央線Ｌより下方（レッグ開口部１８側）にも設け、サイドシール部１５Ａの全域に亘って、接合部３０Ａの向きに傾斜する接合部のみを設けても良い。尚、サイドシール部による肌への強い刺激を防止する観点及び開口寸法の調整の容易の観点から、レッグ開口部の縁部又はウエスト開口部の縁部における相隣接する二つ以上、より好ましくは三つ以上の接合部が、同方向に傾斜していることが好ましく、それらが、互いに平行となるように同じ傾斜角度で傾斜していることが特に好ましい。
【００２５】
その他、上述した実施形態においては、サイドシール部は外層不織布の内面同士を接合することによって形成されているが、サイドシール部は、外層不織布に代えてバックシートやその他の吸収性物品の構成材が接合されて形成されていても良い。
更に、本発明は、パンツ型の使い捨ておむつに限られず、パンツ型の生理用ナプキン等、他のパンツ型の吸収性物品にも適用可能である。
【００２６】
【発明の効果】
本発明のパンツ型の吸収性物品は、着用者の脚回り又は胴回りに対するサイドシール部のあたりが柔らかく、装着感に優れている。
また、本発明のパンツ型の吸収性物品は、レッグ開口部又はウエスト開口部の開口寸法を、着用者の脚回り又は胴回りの寸法に応じて微調整することができ、装着者の脚回り又は胴回りの寸法が標準よりも大きい場合であっても、優れた装着感を得ることができる。
【図面の簡単な説明】
【図１】図１は、本発明の第１実施形態としてのパンツ型の使い捨ておむつを示す斜視図である。
【図２】図２は、図１に示す使い捨ておむつの一側縁部を拡大して示す平面図である。
【図３】図３は、図２の部分拡大平面図である。
【図４】図４は、本発明の第２実施形態のパンツ型の使い捨ておむつの要部を示す平面図（図２相当図）である。
【符号の説明】
１，１Ａ  使い捨ておむつ
２    トップシート
５    外層不織布（外層シート）
１０  腹側部
１１  股下部
１２  背側部
１５，１５Ａ  サイドシール部
１６  ウエスト開口部
１６ｅ  縁部
１８  レッグ開口部
１８ｅ  縁部
３０、３０Ａ、３０ａ〜３０ｆ  接合部
３１  強圧縮部
３２  弱圧縮部又は非圧縮部
【図１】
0004152064.tif 000002
【図２】
0004152064.tif 000003
【図３】
0004152064.tif 000004
【図４】
0004152064.tif 000005